(57)【要約】      （修正有）【課題】折畳み自在な雨傘収納袋を常備し、必要に応じて雨傘収納袋に雨傘を収納し、雨傘を雨傘収納袋から取出し使用に供する折畳み自在な雨傘収納袋付きランドセルを提供する。【解決手段】雨傘収納袋１０は、全体が略筒状であり、その上端の開口部１０Ａが雨傘を収納可能に比較的大きい径を有し、下端に向うに従い比較的小さい径に形成されている。開口部１０Ａの外周縁１０ａには一方の引掛け紐１１Ａの一端１１ａを固定し、その他端１１ｂは他方の引掛け紐１１Ｂに結合するための接続金具１１ｃを固着している。他方の引掛け紐１１Ｂは、折畳み自在な雨傘収納袋１０の長さ方向の略中間位置に於ける外表面１０ｄにその一端１１ｄを固定し、その他端１１ｅは一方の引掛け紐１１Ａの接続金具１１ｃと係合し、固定する接続金具１１ｆを固着している。【選択図】図１
0003120483.tif 000002
【実用新案登録請求の範囲】
【請求項１】
ランドセルの緊締帯に係止する雨傘収納袋であって、全体が略筒状の折畳み可能に柔軟かつ肉薄状の材質で防水処理の袋体に形成された雨傘収納袋に於いて、該雨傘収納袋の本体の長さ方向の略中間位置の外表面に固定された一方側の第１ファスナと、該一方側の第１ファスナに接合可能にすると共にその反対側かつ開口部の外周縁に固定された他方側の第１ファスナと、該開口部の外周縁に形成し該外周縁を折込み接合可能かつ開放自在にする略Ｖ字状折目部位に固定した一方側及び他方側の第２ファスナと、前記雨傘収納袋の下端部に結合した略円錐状筒体と、該略円錐状筒体に螺合する排水貯留部及び閉塞部でなる排水蓋と、前記開口部の外周縁及び該雨傘収納袋の本体の長さ方向の略中間位置の外表面にそれぞれ固定された一方及び他方の引掛け紐とを備えたことを特徴とする折畳み自在な雨傘収納袋付きランドセル。
【請求項２】
前記略円錐状筒体は基端部を長径にしかつ先端部を短径及び円筒形突起を形成し、該円筒形突起の外周面に排水貯留部を螺合する螺旋状のねじ山を形成したことを特徴とする請求項１記載の折畳み自在な雨傘収納袋付きランドセル。
【請求項３】
前記排水蓋は底面の略中心部に閉塞部の内底面の略中心部に形成した保持凹陥に嵌合する略円錐状筒突起を突設した排水貯留部と、裾部に把手を突設した閉塞部とでなることを特徴とする請求項１記載の折畳み自在な雨傘収納袋付きランドセル。
【考案の詳細な説明】
【技術分野】
【０００１】
本考案は、児童が登校、下校の際、背中に背負うランドセルに折畳み自在な雨傘収納袋を常備し、必要に応じて該雨傘収納袋に雨傘を収納すること及び該雨傘を当該雨傘収納袋から取出し使用に供する折畳み自在な雨傘収納袋付きランドセルに関する。
【背景技術】
【０００２】
従来、この種、雨具収納部付きランドセルの一例としては、図７（ａ）、（ｂ）、（ｃ）に示す実開平６−７０６１８号公開実用新案公報に開示された技術がある。これについて説明すれば、１はランドセルであって、その前面は蓋１ａを有し、その側面１ｂに略半円錐状の雨具収納部２を固定している。この略半円錐状の雨具収納部２は、上端部位に傘柄部取出し開口２ａを備えている。また、該雨具収納部２の上端から下端に走る外表面２ｂの略中央部位には、該雨具収納部２を開放・閉止するファスナ３を装着している。また、該雨具収納部２の下端は傘の先端を突出すための開口２ｃを設けている。一方、図７（ｂ）は折畳み式雨傘４の一例を示す斜視図であって、当該折畳み式雨傘４は晴天のとき等使用しないときは、前述した雨具収納部２内に収納する。このとき、傘柄部４ａは折畳み式雨傘４を収納した際、前述した傘柄部取出し開口２ａから突出されている。
当該折畳み式雨傘４に於いて、４ｂは傘先端であり、４ｃは雨傘本体部である。
また、この従来の技術では、図７（ｃ）にその一例を示す雨合羽５を前述した雨具収納部２内に収納できる。
【特許文献１】実開平６−７０６１８号公開実用新案公報
【考案の開示】
【考案が解決しようとする課題】
【０００３】
従来の技術は、背景技術で述べたような構成であるので次の課題が存在した。
すなわち、上述した従来の技術によれば、略半円錐状の雨具収納部２がランドセル１の一方の側面１ｂに常に一体型として固定してあり、そのため当該ランドセル１の全体形状が大きくなり、晴天の際にも、登校、下校時にランドセル１と共に背中に背負い児童がその取扱いに不便であるという問題点があった。また、当該雨具収納部２自体が雨合羽５も収納可能としたので大型化し、加えて、外表面２ｂに装着したファスナ３が雨具収納部２の外部に表出しているので、これが風雨に晒され腐食し又は作動不能となり、該雨具収納部２を開放・閉止できないという問題点があった。さらに、上述した原因や諸種の要因若しくは耐用年数を経る等により当該雨具収納部２を新規なものに取り替える必要がある場合、該ランドセル１自体も新規なものに再製作しなければならなくなり、製作費用も増大するという問題点があった。本考案が解決しようとする課題は、背景技術で述べた問題点を解決することにある。
【課題を解決するための手段】
【０００４】
本考案に係る折畳み自在な雨傘収納袋付きランドセルは、使用しないときは雨傘を雨傘収納袋を折畳み自在としかつ折畳んだ状態でこの雨傘収納袋に取付けた引掛け紐又はバンドによりランドセルの一側面等の一部に係止して、児童が登校又は下校の際にランドセルと共に持ち運び可能とし、また、雨天やその惧れがある際、雨傘のみを雨傘収納袋にその本体部を収納し、必要に応じてこの雨傘を雨傘収納袋から容易に取出し使用可能とし、さらに、使用済みの雨傘を当該雨傘収納袋に収納した際、雨傘収納袋の先端に備えた排水蓋から滞留した雨滴や雨水を適宜に外部に落下することを目的としたものであって、次の構成、手段から成立する。
【０００５】
請求項１記載の考案によれば、ランドセルの緊締帯に係止する雨傘収納袋であって、全体が略筒状の折畳み可能に柔軟かつ肉薄状の材質で防水処理の袋体に形成された雨傘収納袋に於いて、該雨傘収納袋の本体の長さ方向の略中間位置の外表面に固定された一方側の第１ファスナと、該一方側の第１ファスナに接合可能にすると共にその反対側かつ開口部の外周縁に固定された他方側の第１ファスナと、該開口部の外周縁に形成し該外周縁を折込み接合可能かつ開放自在にする略Ｖ字状折目部位に固定した一方側及び他方側の第２ファスナと、前記雨傘収納袋の下端部に結合した略円錐状筒体と、該略円錐状筒体に螺合する排水貯留部及び閉塞部でなる排水蓋と、前記開口部の外周縁及び該雨傘収納袋の本体の長さ方向の略中間位置の外表面にそれぞれ固定された一方及び他方の引掛け紐とを備えたことを特徴とする。
【０００６】
請求項２記載の考案によれば、請求項１記載の考案に於いて、前記略円錐状筒体は基端部を長径にしかつ先端部を短径及び円筒形突起を形成し、該円筒形突起の外周面に排水貯留部を螺合する螺旋状のねじ山を形成したことを特徴とする。
【０００７】
請求項３記載の考案によれば、請求項１記載の考案に於いて、前記排水蓋は底面の略中心部に閉塞部の内底面の略中心部に形成した保持凹陥に嵌合する略円錐状筒突起を突設した排水貯留部と、裾部に把手を突設した閉塞部とでなることを特徴とする。
【考案の効果】
【０００８】
本考案に係る折畳み自在な雨傘収納袋付きランドセルは叙上の構成を有するので次の効果がある。
【０００９】
すなわち、請求項１記載の考案によれば、ランドセルの緊締帯に係止する雨傘収納袋であって、全体が略筒状の折畳み可能に柔軟かつ肉薄状の材質で防水処理の袋体に形成された雨傘収納袋に於いて、該雨傘収納袋の本体の長さ方向の略中間位置の外表面に固定された一方側の第１ファスナと、該一方側の第１ファスナに接合可能にすると共にその反対側かつ開口部の外周縁に固定された他方側の第１ファスナと、該開口部の外周縁に形成し該外周縁を折込み接合可能かつ開放自在にする略Ｖ字状折目部位に固定した一方側及び他方側の第２ファスナと、前記雨傘収納袋の下端部に結合した略円錐状筒体と、該略円錐状筒体に螺合する排水貯留部及び閉塞部でなる排水蓋と、前記開口部の外周縁及び該雨傘収納袋の本体の長さ方向の略中間位置の外表面にそれぞれ固定された一方及び他方の引掛け紐とを備えたことを特徴とする折畳み自在な雨傘収納袋付きランドセルを提供する。
このような構成としたので、雨傘を使用しないときや晴天の際にも該雨傘収納袋を容易に折畳み、児童が背中に背負うランドセルの側部又は緊締帯に係止でき、嵩張らせず持ち運び可能とし実用性の高いランドセルを提供できる効果がある。さらに、使用直後の雨傘を容易かつ迅速に当該雨傘収納袋に挿置できるうえに該雨傘の本体部に付着した雨滴や雨水又は雫を当該雨傘収納袋の下端部に備えた排水蓋で外部にたらすことなく貯留できる効果がある。
【００１０】
請求項２記載の考案によれば、前記略円錐状筒体は基端部を長径にしかつ先端部を短径及び円筒形突起を形成し、該円筒形突起の外周面に排水貯留部を螺合する螺旋状のねじ山を形成したことを特徴とする請求項１記載の折畳み自在な雨傘収納袋付きランドセルを提供する。
このような構成としたので、請求項１記載の考案の効果に加えて、排水蓋の閉塞部を排水貯留部に密着固定又は開放自在にでき雨滴等を完全に捕捉し貯留でき、使用済み雨傘を係止したままの当該ランドセルを教室や自宅内に置いたときにもその床面等を汚損することがないという効果がある。
【００１１】
請求項３記載の考案によれば、前記排水蓋は底面の略中心部に閉塞部の内底面の略中心部に形成した保持凹陥に嵌合する略円錐状筒突起を突設した排水貯留部と、裾部に把手を突設した閉塞部とでなることを特徴とする請求項１記載の折畳み自在な雨傘収納袋付きランドセルを提供する。
このような構成としたので、請求項１記載の考案の効果に加えて、排水蓋の閉塞部を排水貯留部からの閉止・開放操作を極めて迅速かつ容易にできるという効果がある。
【考案を実施するための最良の形態】
【００１２】
以下、本考案に係る折畳み自在な雨傘収納袋付きランドセルに於ける実施の形態について添付図面に基づき詳細に説明する。
【００１３】
図１は、本考案に係る折畳み自在な雨傘収納袋付きランドセルに於いて、雨傘を該雨傘収納袋に挿置した状態を示す斜視図である。
図２は、本考案に係る雨傘収納袋の一例を示す図面であって、（ａ）は全体を示す斜視図、（ｂ）は該雨傘収納袋の先端に固定した排水蓋の構造例を示す斜視図である。
図３は、本考案に係る該雨傘収納袋の下端及び該下端に螺合する排水蓋の構造例を示す拡大斜視図である。
【００１４】
６は、児童が登校又は下校時に背中に背負うランドセルである。該ランドセル６の上端６ａは被せ蓋７を覆設している。８は、背板（後面部）であって、その上端８ａは前記被せ蓋７の基端部７ａを縫着している。９は、前記ランドセル６の周囲を囲撓する緊締帯であり、締め金具９ａ等を備えている。この緊締帯９に折畳み自在な雨傘収納袋１０の引掛け紐１１Ａ、１１Ｂを引掛けて、該折畳み自在な雨傘収納袋１０内に雨傘１２を差込み収納する。
【００１５】
図１中、６ｂは前板（前面部）であり、例えば、ポケット６ｃを取付けている。６ｄは底板（底面部）、６ｅは側板（側面部）である。７ｂ、７ｂは該ランドセル６を児童が背中に背負うための背掛けバンドであり、前記背板８の左・右にそれぞれ並設・固定している。
【００１６】
次に、図２（ａ）、（ｂ）及び図３に基づき、当該折畳み自在な雨傘収納袋１０について詳しく説明する。
【００１７】
該折畳み自在な雨傘収納袋１０は、防水処理されたシートであって、折畳み可能に柔軟かつ肉薄状の材質で袋体に形成されている。全体が略筒状であり、その上端の開口部１０Ａが雨傘を収納可能に比較的大きい径を有し、下端に向うに従い比較的小さい径に形成されている。そして、例えば、前記開口部１０Ａの外周縁１０ａには図２（ａ）に示すように、一方の引掛け紐１１Ａの一端１１ａを縫着等して固定し、その他端１１ｂは他方の引掛け紐１１Ｂに結合するためのフックピン等接続金具１１ｃを固着している。
【００１８】
前記他方の引掛け紐１１Ｂは、当該折畳み自在な雨傘収納袋１０の長さ方向の略中間位置に於ける外表面１０ｄにその一端１１ｄを縫着等して固定し、その他端１１ｅは前記一方の引掛け紐１１Ａの接続金具１１ｃと係合し、固定する接続金具１１ｆを固着している。前記一方の接続金具１１ｃと前記他方の接続金具１１ｆは、例えば、前者を凸状突起を有した金具に、後者をこれに係合する凹部を有した金具として組合せ又はその逆の組合せ等で構成する。
【００１９】
また、前記折畳み自在な雨傘収納袋１０の長さ方向の略中間位置に於ける外表面１０ｄに一対に構成された一方側の第１ファスナ１３Ａを接着剤により又は縫着する等の手段で固定すると共に該一方側の第１ファスナ１３Ａと接合する他方側の第１ファスナ１３Ｂを備えている。該他方側の第１ファスナ１３Ｂは前記雨傘収納袋１０の開口部１０Ａの外周縁１０ａであって、一方側の第１ファスナ１３Ａと反対側に同様な方法で固定している。そして、当該雨傘収納袋１０を折畳んだ際、前記一方側及び他方側の第１ファスナ１３Ａ、１３Ｂが互に接合・固定するように構成してある。
【００２０】
また、前記雨傘収納袋１０の開口部１０Ａの外周縁１０ａは、該開口部１０Ａを折込み可能にかつ開放自在に略Ｖ字状折目１０ｂを形成し、この略Ｖ字状折目１０ｂの外表面１０ｄに一対でなる一方側の第２ファスナ１３Ｃとこの一方側の第２ファスナ１３Ｃに接合する他方側の第２ファスナ１３Ｄを接着剤により又は縫着する等の手段で固定する。そして、当該雨傘収納袋１０を折畳んだ際、前記一方側及び他方側の第２ファスナ１３Ｃ、１３Ｄが互に接合するように構成してある。また、前記一方側及び他方側の第２ファスナ１３Ｃ、１３Ｄを分離して雨傘を挿入し収納するとき、雨傘収納袋１０の開口部１０Ａを拡開しかつ開放する。
【００２１】
前記折畳み自在な雨傘収納袋１０の下端部には樹脂材料又は金属材料等で成形した略円錐状筒体１４を結合している。この略円錐状筒体１４の基端はやや長径とし折畳み自在な雨傘収納袋１０の下端部の裾１０ｃに接合又は接続されている。前記略円錐状筒体１４の先端部をやや短径とし円筒形突起１４Ａを該略円錐状筒体１４の下方に一体成形してなる。そして、該円筒形突起１４Ａの外周面に図３に示すように例えば螺旋状のねじ山１４ａを付設し又は該円筒形突起１４Ａに一体成形する。また、この円筒形突起１４Ａに排水蓋１５を螺合し、この排水蓋１５により当該折畳み自在な雨傘収納袋１０の上方から落下した雨滴や雨水又は雫を一旦滞留し又は貯留する。
尚、上述した略円錐状筒体１４や円筒形突起１４Ａを省略し、折畳み自在な雨傘収納袋１０の下端部に直接に上記排出蓋１５を備えた構成でもよい。
【００２２】
前記排水蓋１５は例えばプラスチック材料等で成形され、排水貯留部１５Ａと閉塞部１５Ｂを有し、この両者は連結片１５Ｃで開閉自在に連結している。この連結片１５Ｃは単一又は複数本で構成し、フレキシブル自在に該閉塞部１５Ｂが、該排水貯留部１５Ａに閉止・開放可能に連結し、当該排水貯留部１５Ａ、閉塞部１５Ｂ及び該連結片１５Ｃを一体成形する。
ここで、図３は、特に、排水蓋１５の構造を明らかにした図面であって、これについて詳しく説明する。
前記排水貯留部１５Ａは例えば、全体が前記円筒形突起１４Ａと略同一形状であって、その外表面１５ａには突条１５ｂ…を所定の間隙を有して長さ方向に延在させると共に周設している。その内周面１５ｃには前記円筒形突起１４Ａに形成したねじ山１４ａに螺合しかつ該排水蓋１５を円筒形突起１４Ａに固定するためのねじ溝１５ｄを周設し又は刻設している。
【００２３】
また、該排水貯留部１５Ａの底面１５ｅの略中心部には、略円錐状筒突起１５ｆを外方、つまり閉塞部１５Ｂ側に突設しかつ一体成形している。そして、該閉塞部１５Ｂを排水貯留部１５Ａに閉止した際、該略円錐状筒突起１５ｆの先端筒状面１５ｇが閉塞部１５Ｂの内底面１５ｈの略中心部に形成した保持凹陥１５ｉに嵌合する。該内底面１５ｈは閉塞してあり、この保持凹陥１５ｉは、例えば、前記略円錐状筒突起１５ｆの先端部に於ける筒状部の厚さと略同一の幅を有する円筒溝で形成した保持凹陥１５ｉを構成すれば、閉塞部１５Ｂを排水貯留部１５Ａに閉止した際、いわゆるワンタッチ手法で略円錐状筒突起１５ｆが保持凹陥１５ｉに密着状態に嵌着する。また、前記排水貯留部１５Ａの下方の外周縁は段差形状部１５ｊを形成し、閉塞部１５Ｂの壁面の厚さがこの段差形状部１５ｊに嵌合する。
【００２４】
ここで、閉塞部１５Ｂはその全体形状が前記排水貯留部１５Ａと略同一の形状であって、その外表面１５ｋには、突条１５ｍ…を所定の間隙を有して長さ方向に延在させると共に周設している。また、閉塞部１５Ｂの裾部に把手１５ｎを一体的に形成しかつ突設している。一方、排水貯留部１５Ａの外表面１５ａには、凹陥１５ｐを形成し、閉塞部１５Ｂを排水貯留部１５Ａに閉止した後、外部に排水処理をすべく該閉塞部１５Ｂを排水貯留部１５Ａから離脱・開放するときは操作者の指を該凹陥１５ｐに押し当て、上記把手１５ｎを引張ることにより行なう。このように該凹陥１５ｐを形成したので閉塞部１５Ｂを排水貯留部１５Ａから迅速かつ容易に離脱・開放することができる。
【００２５】
次に、本考案に係る折畳み自在な雨傘収納袋付きランドセルに於ける実施の形態について使用方法や操作等について説明する。
先づ第１に児童が登校又は下校をする際、すでに、雨天であって即時雨傘を使用する場合は、当該児童は図４に示す雨傘１２の本体部１２ａを開放し、その柄１２ｂを手に持ち登校又は下校する。ところが、登校又は下校の中途於いて降雨が止んで晴天になったとき当該雨傘１２は使用済みとなり、又は登校、下校したが傘立て等不在のとき、児童は当該雨傘１２の本体部１２ａを閉止すると共にすでに図１に示すランドセル６の緊締帯９に一方、他方の引掛け紐１１Ａ、１１Ｂにより係止された当該折畳み自在な雨傘収納袋１０を例えは、一旦該一方、他方の引掛け紐１１Ａと１１Ｂを解除し、図６に示す折畳んだ状態から図１に示す伸長した状態にする。
【００２６】
そして、図２に示す一方側及び他方側の第２ファスナ１３Ｃ、１３Ｄを分離・開放し、折畳み自在な雨傘収納袋１０の開口部１０Ａを拡開する。そこで、この開口部１０Ａから上記雨傘１２を挿置する。当該雨傘１２を使用した直後であるので、雨傘１２の本体部１２ａの外面に付着した雨滴や雨水又は雫が落下し、排水貯留部１５Ａの略円錐状筒突起１５ｆを経て閉塞部１５Ｂ内の内底面１５ｈに貯留し又は滞留する。而して、閉塞部１５Ｂ内に貯留又は滞留した雨水等は折畳み自在な雨傘収納袋１０の外部に流出することがなく、当該ランドセル６を教室内又は自宅内に持ち運んでも教室床面や自宅床面等を汚損することがない。
【００２７】
次に、第２に児童が登校又は下校をする際、当日の天候がテレビやラジオ等のニュースにより晴天である場合、当該折畳み自在な雨傘収納袋１０をランドセル６の緊締帯９に係止する必要がないときは、折畳み自在な雨傘収納袋１０を折畳んで自宅等に置く。また、該折畳み自在な雨傘収納袋１０は折畳んで当該ランドセル６の側板（側面部）６ｅに一方、他方の引掛け紐１１Ａ、１１Ｂにより係止すればこれを伸長し雨傘１２を収納する必要が生じたときにも便利であると共に嵩張らないという利点がある。そこで、図５及び図６に基づき当該折畳み自在な雨傘収納袋１０の折畳み方法について説明する。
【００２８】
図５は、当該折畳み自在な雨傘収納袋１０について、その長さ方向の下方部分を折畳んだ状態を示す斜視図である。また、図６は当該折畳み自在な雨傘収納袋１０の折畳みが完了した状態を示す斜視図である。
当該折畳み自在な雨傘収納袋１０を折畳むには、先づ図２に示す折畳み自在な雨傘収納袋１０の長さ方向であって下方端から約１／３程度の外表面１０ｄに於ける１点鎖線ラインＥ−Ｅについて、一方側の第１ファスナ１３Ａが外部に露出するように折曲する。このとき、図５に示すように折曲部Ｆが形成され、該折曲部Ｆの内側面１０ｅとその対面１０ｆ間に前記略円錐状筒体１４及び排水貯留部１５Ａ、閉塞部１５Ｂを巻き込む。次に、図５に示す折畳み自在な雨傘収納袋１０の長さ方向であって下方端から約２／３程度、すなわち、上方端から約１／３程度の外表面１０ｄに於ける１点鎖線ラインＧ−Ｇについて、一方側の第１ファスナ１３Ａの方向に折曲する。このとき図６に示すように折曲部Ｈが形成され、一方側の第１ファスナ１３Ａと他方側の第１ファスナ１３Ｂが噛合い接合する。また、一方側の第２ファスナ１３Ｃと他方側の第２ファスナ１３Ｄも噛合い接合し、開口部１０Ａも閉塞される。
【００２９】
ここに於いて、上述した折畳み自在な雨傘収納袋１０をランドセル６の緊締帯９に係止するには、前記引掛け紐１１Ａ、１１Ｂを該緊締帯９に掛け止める。また、折畳み自在な雨傘収納袋１０を使用する予定がなく自宅等に置く場合は、前記引掛け紐１１Ａ、１１Ｂの接続金具１１ｃ、１１ｆを結合した状態にする。
【図面の簡単な説明】
【００３０】
【図１】本考案に係る折畳み自在な雨傘収納袋付きランドセルに於いて、雨傘を該雨傘収納袋に挿置した状態を示す斜視図である。
【図２】本考案に係る雨傘収納袋の一例を示す図面であって、（ａ）は全体を示す斜視図、（ｂ）は該雨傘収納袋の先端に固定した排水蓋の構造例を示す斜視図である。
【図３】本考案に係る雨傘収納袋の下端及び該下端に螺合する排水蓋の構造例を示す拡大斜視図である。
【図４】本考案に係る折畳み自在な雨傘収納袋に雨傘を挿置した状態を示す斜視図である。
【図５】本考案に係る折畳み自在な雨傘収納袋について、その長さ方向の下方部分を折畳んだ状態を示す斜視図である。
【図６】本考案に係る折畳み自在な雨傘収納袋の折畳みが完了した状態を示す斜視図である。
【図７】従来の雨具収納部付きランドセルの一例を示す図であって、（ａ）はランドセルの斜視図、（ｂ）は折畳み式雨傘の一例を示す斜視図、（ｃ）は雨合羽の一例を示す斜視図である。
【符号の説明】
【００３１】
６      ランドセル
６ａ    ランドセル上端
６ｂ    ランドセルの前板（前面部）
６ｃ    ランドセルのポケット
６ｄ    ランドセルの底板（底面部）
６ｅ    ランドセルの側板（側面部）
７      被せ蓋
７ａ    被せ蓋の基端部
７ｂ    ランドセルの背掛けバンド
８      ランドセルの背板（後面部）
８ａ    ランドセルの背板（後面部）の上端
９      ランドセルの緊締帯
９ａ    ランドセルの緊締帯の金具
１０    折畳み自在な雨傘収納袋
１０Ａ  折畳み自在な雨傘収納袋の開口部
１０ａ  折畳み自在な雨傘収納袋の開口部の外周縁
１０ｂ  折畳み自在な雨傘収納袋の開口部の略Ｖ字状折目
１０ｃ  折畳み自在な雨傘収納袋の下端部の裾
１０ｄ  折畳み自在な雨傘収納袋の外表面
１０ｅ  折畳み自在な雨傘収納袋の折曲部Ｆの内側面
１０ｆ  折畳み自在な雨傘収納袋の折曲部Ｆの内側面の対面
１１Ａ  一方の引掛け紐
１１Ｂ  他方の引掛け紐
１１ａ  一方の引掛け紐の一端
１１ｂ  一方の引掛け紐の他端
１１ｃ  一方の引掛け紐の接続金具
１１ｄ  他方の引掛け紐の一端
１１ｅ  他方の引掛け紐の他端
１１ｆ  他方の引掛け紐の接続金具
１２    雨傘
１２ａ  雨傘の本体部
１２ｂ  雨傘の柄
１３Ａ  一方側の第１ファスナ
１３Ｂ  他方側の第１ファスナ
１３Ｃ  一方側の第２ファスナ
１３Ｄ  一他側の第１ファスナ
１４    略円錐状筒体
１４Ａ  略円錐状筒体の円筒状突起
１４ａ  略円錐状筒体の円筒状突起のねじ山
１５    排水蓋
１５Ａ  排水蓋の排水貯留部
１５Ｂ  排水蓋の閉塞部
１５Ｃ  排水蓋の連結片
１５ａ  排水蓋の排水貯留部の外表面
１５ｂ  排水蓋の排水貯留部の外表面の突条
１５ｃ  排水蓋の排水貯留部の内周面
１５ｄ  排水蓋の排水貯留部の内周面のねじ溝
１５ｅ  排水蓋の排水貯留部の底面
１５ｆ  排水蓋の排水貯留部の略円錐状筒突起
１５ｇ  排水蓋の排水貯留部の略円錐状筒突起の先端筒状面
１５ｈ  排水蓋の閉塞部の内底面
１５ｉ  排水蓋の閉塞部の内底面の保持凹陥
１５ｊ  排水蓋の排水貯留部の段差形状部
１５ｋ  排水蓋の閉塞部の外表面
１５ｍ  排水蓋の閉塞部の外表面の突条
１５ｎ  排水蓋の閉塞部の外表面の把手
１５ｐ  排水蓋の排水貯留部の凹陥
【図１】
0003120483.tif 000003
【図２】
0003120483.tif 000004
【図３】
0003120483.tif 000005
【図４】
0003120483.tif 000006
【図５】
0003120483.tif 000007
【図６】
0003120483.tif 000008
【図７】
0003120483.tif 000009